(57)【要約】【課題】温度影響を考慮し、ケーシングの外側からの視認性を妨げないようにケーシングの内側の照射する発光システム。【解決手段】発光部１４０は基板１００のいずれかの面に配置されており、上記した空間側から順に、透光性の第１電極１１０、有機層１２０（発光層）、及び第２電極１３０を有している。絶縁膜１５０は複数の発光部１４０を画定している。そして、基板１００のうち隣り合う２つの発光部１４０の間には、透光性領域が設けられている。透光性領域は、絶縁膜１５０及び第２電極１３０が形成されていない領域である。発光装置３２の光取出側の面（基板１００の第１面１００ａ）は、接着層２００を介してケーシング部２０の外面である第１面２４に固定されている。【選択図】図１
2018156770.tif 000002
【特許請求の範囲】
【請求項１】
第１空間を第２空間から確定するケーシング部と、
前記ケーシング部に位置し、発光部及び透過部を有する機能領域と、
前記第１空間の温度に関する情報に基づいて前記発光部の発光を制御する制御部と、
を備え、
前記発光部の発光は前記第１空間側に照射される発光システム。
【請求項２】
前記発光部及び前記透過部は透過性の基板の上に位置し、
前記基板と前記ケーシング部とが重なる領域が前記機能領域である請求項１に記載される発光システム。
【請求項３】
前記発光部は前記第２空間側に位置し、かつ絶縁膜によって画定され、
前記透過部は複数の前記発光部の間に位置する請求項１又は２に記載の発光システム。
【請求項４】
前記ケーシング部は直方体の一面を開放した形状であり、少なくとも一面に前記機能領域を有する請求項１乃至３のいずれか１項に記載の発光システム。
【請求項５】
前記制御部は、
前記第１空間の温度が第１温度以上である場合に一般モードで制御し、
前記第１空間の温度が前記第１温度以下である場合に第１発光モードで制御し、
前記第１発光モードは前記一般モードと比較して、前記発光の発光色、発光輝度、発光周期、単位時間当たりの発光時間の少なくとも１つが異なる請求項１乃至４のいずれか１項に記載の発光システム。
【請求項６】
前記ケーシング部は水槽として機能し、
前記第１温度は前記第１空間の液体の温度である請求項５に記載の発光システム。
【請求項７】
前記第１発光モードは前記一般モードと比較して前記発光輝度が大きくなる請求項６に記載の発光システム。
【請求項８】
前記ケーシング部は曲面を有し、前記機能領域は前記曲面に位置し、
前記ケーシング部と前記発光部との間に樹脂材料を含む光透過性の基板を備える請求項１乃至７のいずれか１項に記載の発光システム。
【請求項９】
第１空間を第２空間から画定するケーシング部と、
前記ケーシング部の第２空間側に位置し、発光部及び透過部を有する発光装置と、
前記ケーシング部及び前記発光装置の間に位置する透光性の接着部材と、
を備え、
前記接着部材は前記発光装置と前記ケーシング部の間の一部の領域に位置する発光システム。
【発明の詳細な説明】
【技術分野】
【０００１】
本発明は、発光システムに関する。
【背景技術】
【０００２】
近年は有機ＥＬを利用した発光装置の開発が進んでいる。この発光装置は、照明装置や表示装置として使用されており、第１電極と第２電極との間に有機層を挟んだ構成を有している。そして、一般的には第１電極には透明材料が用いられており、第２電極には光反射性の材料が用いられている。
【０００３】
水槽などのケーシングの内部を発光装置によって照らす発光システムの一つに、特許文献１に記載の技術がある。特許文献１には、光源を備えた水槽において、光源の発光に伴って発生した熱を水槽内に伝達する伝熱手段を設けることが記載されている。
【０００４】
一方、特許文献２には、透光性ＯＬＥＤの一例について記載されている。このＯＬＥＤは、基板、第１電極、有機層及び複数の第２電極を備えている。第１電極及び有機層は、基板上で順に積層されている。複数の第２電極は、有機層上でストライプ状（縞状）に配置されている。ＯＬＥＤの外部からの光は、隣り合う第２電極の間の領域を透過することができる。これにより、ＯＬＥＤは、透光性を有している。
【先行技術文献】
【特許文献】
【０００５】
【特許文献１】特開２００９−６４６６１号公報
【特許文献２】特開２０１３−１４９３７６号公報
【発明の概要】
【発明が解決しようとする課題】
【０００６】
水槽など透光性の部材で囲われた（すなわちケーシングされた）空間を視認しやすくしたり際立たせたりするためには、その空間に光を照射するための発光装置を備えることが好ましい。この場合、発光装置から発生した熱のケーシング内部への伝搬が考慮されている必要がある。特許文献１では、上記したように、伝熱手段（構造物）をケーシング部の光源以外の面に設けることが記載されている。しかし、このような構造物をケーシング部の面に設けると、利用者（水槽の中をモニタリングする物体を含む）は水槽の内部を確認しにくくなる。
【０００７】
本発明が解決しようとする課題としては、発光時、非発光時ともにケーシング部の内部を視認しやすくし、かつ発光時に光源で発生した熱をケーシング部あるいはケーシング内部の充填物に所望の状態で伝搬させることが一例として挙げられる。
【課題を解決するための手段】
【０００８】
請求項１に記載の発明は、第１空間を第２空間から確定するケーシング部と、前記ケーシング部に位置し、発光部及び透過部を有する機能領域と、前記第１空間の温度に関する情報に基づいて前記発光部の発光を制御する制御部と、を備え、前記発光部の発光は前記第１空間側に照射される発光システムである。
【０００９】
請求項９に記載の発明は、第1空間を第２空間から画定するケーシング部と、前記ケーシング部の第２空間側に位置し、発光部及び透過部を有する発光装置と、前記ケーシング部及び前記発光装置の間に位置する透光性の接着部材と、を備え、前記接着部材は前記発光装置ケーシング部の間の一部の領域に位置する発光システムである。
【図面の簡単な説明】
【００１０】
【図１】実施形態に係る発光システムの構成を示す図である。
【図２】実施形態に係る発光システムの構成を示す断面図である。
【図３】発光装置の構成を説明するための断面図である。
【図４】発光部の構成を説明するための断面図である。
【図５】機能領域について説明するための図である。
【図６】発光装置の温度分布に関する図である。
【図７】発光装置の構成を説明するための図である。
【図８】他の実施形態に係る発光システムの構成を示す図である。
【図９】実施例に係る構成を示すための図である。
【図１０】実施例に係る発光システムの構成を示すための図である。
【図１１】実施例に係る発光システムの構成を示すための図である。
【発明を実施するための形態】
【００１１】
以下、本発明の実施の形態について、図面を用いて説明する。尚、すべての図面において、同様な構成要素には同様の符号を付し、適宜説明を省略する。
【００１２】
（実施形態）
【００１３】
図１は、実施形態に係る発光システム１０の構成を示す図である。図２は実施形態に係る発光システム１０の構成を示す断面図である。この発光システム１０は、ケーシング部２０及び機能領域３０を有している。ケーシング部２０は透光性を有しており、物が収容される内部（第１空間２６）の空間を外部（第２空間２８）から画定し、仕切っている。ここで「画定する」「仕切る」とは必ずしも第１空間２６が密閉されていることを意味していない。例えば第１空間２６の一部が解放されていても構わない。ケーシング部２０は、例えば飼育ケース、水槽の少なくとも一部であるが、これに限定されない。例えば、ケーシング部２０は展示用ケースであってもよい。ケーシング部２０は、透光性を有し、ガラス又は樹脂性の材料を用いて形成され、一例において、直方体の一面を開放した形状である。
【００１４】
本実施形態において機能領域３０は、ケーシング部２０のうち、発光装置３２と基板１００とが重なる領域である。発光装置３２は、照明装置または表示装置である。発光装置３２には少なくとも２つの発光部１４０、及び透過部１６０（または、後述する第１領域１０２と、第２領域１０４と第３領域１０６のうちの少なくとも一方）を有している。発光部１４０は上記したケーシング部２０の内部（第１空間２６）側から順に、透光性の第１電極１１０、有機層１２０（発光層）、及び第２電極１３０を有している。そして、隣り合う２つの発光部１４０の間には、透過部１６０が設けられている。透過部１６０は、少なくとも第２電極１３０が形成されていない領域である。発光部１４０の発光は第１空間２６側に照射される。
【００１５】
そして、図２に示す通り、発光装置３２は接着層２００を介してケーシング部２０の外面（第１面２４）に固定されている。発光装置３２は、発光部１４０の光取出側の面（例えば基板１００の第１面１００ａ）がケーシング部２０の外面（第１面２４）と向かい合うように位置している。このため、発光部１４０から放射された光は、ケーシング部２０を介して内部（第１空間２６）に放射される。一方、後述するように、発光装置３２の一部は透過部１６０を有している。このため、ケーシング部２０の外側（第２空間２８）に位置する人（又は撮影機能等を有する物体）は、発光部１４０が発光している場合及び発光していない場合の双方で、機能領域３０すなわちケーシング部２０及び発光装置３２を介してケーシング部２０の内側（第1空間２６）を認識することができる。
【００１６】
なお、機能領域３０及び発光装置３２は、ケーシング部２０の内面（第２面２２）側に位置していてもよい。この場合、発光部１４０の光取出しの方向は後述する方法でケーシング部の内側（第１空間２６）の方向とする。また、ケーシング部２０と発光装置３２との設置方法は接着層２００だけでなくねじやフックなどの取付部材を介して取付けされてもよい。さらに発光装置３２は、ケーシング部２０の内面（第２面２２）及び外面（第１面２４）の双方に位置していてもよい。
【００１７】
図３は図１の線分ＡＡの断面図からケーシング部２０を除いた図面であり、発光装置３２の構成を説明するための断面図である。図４は発光装置３２の発光部１４０を拡大した図であり、発光部１４０の構成を説明するための断面図である。図３及び図４、並びに後述する図５は、発光装置３２が照明装置である場合を示している。
【００１８】
発光装置３２は、基板１００、複数の発光部１４０、及び絶縁膜１５０を備えている。基板１００は透光性の材料が用いられている。複数の発光部１４０は互いに離間しており、基板１００の第２面１００ｂに形成されている。複数の発光部１４０は、いずれも、第１電極１１０、有機層１２０、及び第２電極１３０を有している。第１電極１１０は透光性の電極であり、第２電極１３０は遮光性あるいは光反射性を有する電極である。第１電極１１０と第２電極１３０の少なくとも一部が重なっている。ただし第２電極１３０の一部は透光性の電極であってもよい。有機層１２０は第１電極１１０と第２電極１３０の間に位置している。図３及び図４に示す例において、第１電極１１０、発光層を含む有機層１２０、及び第２電極１３０をこの順に積層されている。そして、絶縁膜１５０は第１電極１１０の縁を覆っている。また、絶縁膜１５０の少なくとも一部は第２電極１３０で覆われていない。以下、基板１００及び各層について詳細に説明する。
【００１９】
基板１００は、例えばガラス基板や樹脂基板などの透光性を有する基板である。ケーシング部２０のうち発光装置３２と重なる部分が曲面を有している場合、基板１００は可撓性を有していることが好ましい。基板１００が可撓性を有している場合、基板１００の厚さは、例えば１０μｍ以上１０００μｍ以下である。基板１００は、例えば矩形などの多角形や円形である。基板１００が樹脂基板である場合、基板１００は、例えばＰＥＮ（ポリエチレンナフタレート）、ＰＥＳ（ポリエーテルサルホン）、ＰＥＴ（ポリエチレンテレフタラート）、又はポリイミドを用いて形成されている。また、基板１００が樹脂基板である場合、水分が基板１００を透過することを抑制するために、基板１００の少なくとも一面（好ましくは両面）に、ＳｉＮｘやＳｉＯＮなどの無機バリア膜が形成されているのが好ましい。
【００２０】
なお、基板１００が樹脂基板である場合、基板１００に直接第１電極１１０や有機層１２０を成膜する方法と、ガラスなどのリジッドな基板の上に第１電極１１０以降の層を形成した後に、第１電極１１０以降の層からなる積層体とガラス基板を剥離し、さらに、剥離した積層体を樹脂基板に転写する方法などがある。また、ケーシング部２０と発光装置３２が重なる部分が曲面を有している場合であっても、基板１００がガラスなど可撓性を有さない材料で形成されていてもよい。この場合、基板１００を曲がった状態に形成し、または変形させればよい。この場合、ガラスなどの材料を含んだ基板１００を１００μｍ以上１０００μｍ以下の厚みで形成すればよい。
【００２１】
第１電極１１０は、光透過性を有する透明電極である。透明電極の材料は、金属を含む材料、例えば、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＩＷＺＯ（Ｉｎｄｉｕｍ  Ｔｕｎｇｓｔｅｎ  Ｚｉｎｃ  Ｏｘｉｄｅ）、ＺｎＯ（Ｚｉｎｃ  Ｏｘｉｄｅ）、ＧＺＯ（Ｇａｌｌｉｕｍ  ｄｏｐｅｄ  Ｚｉｎｃ  Ｏｘｉｄｅ）及びＡＺＯ（Ａｌｕｍｉｎｕｍ  ｄｏｐｅｄ  Ｚｉｎｃ  Ｏｘｉｄｅ）等の金属酸化物である。第１電極１１０の厚さは、例えば１０ｎｍ以上５００ｎｍ以下である。第１電極１１０は、例えばスパッタリング法又は蒸着法を用いて形成される。なお、第１電極１１０は、カーボンナノチューブ、又はＰＥＤＯＴ／ＰＳＳなどの導電性有機材料であってもよい。また、第１電極１１０は複数の膜を積層した積層構造を有していてもよい。本図において、基板１００の上には、複数の線状の第１電極１１０が互いに平行に形成されている。このため、第２領域１０４及び第３領域１０６には第１電極１１０は位置していない。
【００２２】
有機層１２０は発光層を有している。有機層１２０は、例えば、正孔注入層、発光層、及び電子注入層をこの順に積層させた構成を有している。正孔注入層と発光層との間には正孔輸送層が形成されていてもよい。また、発光層と電子注入層との間には電子輸送層が形成されていてもよい。有機層１２０は蒸着法で形成されてもよい。また、有機層１２０のうち少なくとも一つの層、例えば第１電極１１０と接触する層は、インクジェット法、印刷法、又はスプレー法などの塗布法によって形成されてもよい。なお、この場合、有機層１２０の残りの層は、蒸着法によって形成されている。また、有機層１２０のすべての層が、塗布法を用いて形成されていてもよい。
【００２３】
なお、有機層１２０の代わりに他の発光層（例えば無機発光層）を有していてもよい。また、共通する第１電極１１０及び第２電極１３０の間に発光色の異なる複数種類の発光層を互いに重ならないように、又は少なくとも一部が互いに重なるように形成してもよい。この場合、発光部１４０の発光色は、各発光層の色が混色した色になる。この場合、隣り合う２つの発光層の発光色(又は有機層１２０から放射される光の色）は、異なっていてもよいし、同じでも良い。
【００２４】
第２電極１３０は、例えば、Ａｌ、Ａｕ、Ａｇ、Ｐｔ、Ｍｇ、Ｓｎ、Ｚｎ、及びＩｎからなる第１群の中から選択される金属、又はこの第１群から選択される金属の合金からなる金属層を含んでいる。この場合、第２電極１３０は遮光性又は光反射性を有している。第２電極１３０の厚さは、例えば１０ｎｍ以上５００ｎｍ以下である。ただし、第２電極１３０は、第１電極１１０の材料として例示した材料を用いて形成されていてもよい。この場合、第２電極１３０は透光性を有する。第２電極１３０は、例えばスパッタリング法又は蒸着法を用いて形成される。
【００２５】
本図に示す例において、発光装置３２は複数の線状の第２電極１３０を有している。第２電極１３０は、第１電極１１０のそれぞれに対して設けられており、かつ第１電極１１０よりも幅が広くなっている。このため、基板１００に垂直な方向から見た場合において、幅方向において第１電極１１０の全体が第２電極１３０に重なっており、また覆われている。このような構成にすることで、有機層１２０の発光層で発光した光の取出し方向を調整することができる。具体的には、発光装置３２において、第２電極１３０の幅方向に傾いた方向への発光を少なくすることができる。
【００２６】
また、第１電極１１０の幅を第２電極１３０の幅よりも広く、言い換えると、基板１００に垂直な方向から見た場合において、幅方向において第２電極１３０の全体が第１電極１１０によって覆われるようにしてもよい。この場合、発光装置３２において、第２電極１３０の幅方向への発光量は比較的多くなる。
【００２７】
第１電極１１０の縁は、絶縁膜１５０によって覆われている。絶縁膜１５０は例えばポリイミドなどの樹脂材料に感光性の材料を含ませて形成されており、第１電極１１０の端部を囲むことで発光部１４０を画定させている。ただし、絶縁膜１５０は無機系の材料によって形成されていてもよい。
【００２８】
また、第２電極１３０の幅方向の縁は、絶縁膜１５０上に位置している。言い換えると、基板１００に垂直な方向から見た場合において、絶縁膜１５０の一部は第２電極１３０から食み出ている。また本図に示す例において、有機層１２０は絶縁膜１５０の上及び側面にも形成されている。ただし、有機層１２０は隣り合う発光部１４０の間で電気的に分断されていることが好ましいが、隣り合う発光部１４０の間で連続していてもよい。
【００２９】
ここでは、発光部１４０の構造としては、第１電極１１０が透明であり、第２電極１３０が光反射性、あるいは遮光性を有し、発光層の発光が基板１００を介して取り出されるいわゆるボトムエミッションの構造を一例として記載した。ただし、発光部１４０は、発光層の発光が基板１００とは逆側から取り出されるいわゆるトップエミッション構造であってもよい。このようにするためには、例えば、第２電極１３０を薄く成膜すればよい。より具体的には、第２電極１３０の膜厚を１０ｎｍ以上１００ｎｍ以下とする。また、第１電極１１０で例示した材料と第２電極１３０で列挙した材料を入れ替えて、第１電極１１０及び第２電極１３０をそれぞれ形成し、有機層１２０の各層の順番も入れ替えてもよい。
【００３０】
そして、発光装置３２は平面視において、すなわち基板１００に垂直な方向から見た場合において、互いに重ならない第１領域１０２、第２領域１０４、及び第３領域１０６（透光性領域）を有している。第１領域１０２は第２電極１３０と重なる領域である。つまり、第１領域１０２は基板１００に垂直な方向から見た場合において、第２電極１３０に覆われている領域である。第２電極１３０が遮光性を有している場合、第１領域１０２は、発光装置３２または基板１００の表面から裏面、及び裏面から表面のそれぞれの方向において光を通さない領域である。第２領域１０４は、複数の発光部１４０の間の領域のうち絶縁膜１５０を含む領域である。本図に示す例において、有機層１２０は第２領域１０４にも形成されている。第３領域１０６は、複数の発光部１４０の間の領域のうち絶縁膜１５０を含まない領域である。
【００３１】
図３及び図４に示す例において、有機層１２０は第３領域１０６の少なくとも一部には形成されていない。そして第２領域１０４の幅は、第３領域１０６の幅よりも狭い。また第３領域１０６の幅は第１領域１０２の幅よりも広くてもよいし、狭くてもよい。第１領域１０２の幅を１とした場合、第２領域１０４の幅は例えば０以上（又は０超若しくは０．１以上）０．２以下であり、第３領域１０６の幅は例えば０．３以上１０以下である。また第１領域１０２の幅は、例えば５０μｍ以上５００μｍ以下であり、第２領域１０４の幅は例えば０μｍ以上（又は０μｍ超）１００μｍ以下であり、第３領域１０６の幅は例えば１５μｍ以上１０００μｍ以下である。各領域の光透過率は、第３領域１０６、第２領域１０４、第１領域１０２の順で小さくなる。そして、第２領域１０４の幅は第３領域１０６の幅よりも狭いため、発光装置３２は、十分な光透過性を有している。
【００３２】
図５は機能領域３０または発光装置３２の平面図である。なお、図３及び後述する図８は、図５のＡ−Ａ断面に対応している。本図に示す例において、複数の発光部１４０はライン状（縞状）に延在している。このため、第１領域１０２、第２領域１０４、及び第３領域１０６も、いずれも線状かつ同一方向に延在していて互いに重ならない領域である。そして本図及び図３に示すように、第１領域１０２が延在する方向に交わる方向（例えば直交する方向）において、第２領域１０４、第１領域１０２、第２領域１０４、及び第３領域１０６が、この順に繰り返し並んでいる。
【００３３】
なお、図８を用いて後述するように機能領域３０がケーシング部２０の第１面２４（または第２面２２）に直接設けられている場合、図３及び図４において、基板１００をケーシング部２０として読み替えればよい。この場合、基板１００の第１面１００ａはケーシング部２０の第１面２４（または第２面２２）に相当し、基板１００の第２面１００ｂはケーシング部の第２面２２（又は第１面２４）に相当する。
【００３４】
上記したように、図３〜図５は、発光装置３２が照明装置である場合の図である。一方、発光装置３２が表示装置の場合、複数の発光部１４０はドットマトリクスを構成するように配置されているか、またはセグメントを構成したり（すなわちセグメント型の表示装置）所定の形状を表示するように（例えばアイコンを表示するように）なっていてもよい。そして複数の発光部１４０は、画素別に形成されている。
【００３５】
次に、発光装置３２の製造方法について説明する。まず、基板１００に第１電極１１０を、例えばスパッタリング法を用いて形成する。次いで、第１電極１１０を例えばフォトリソグラフィー法を利用して所定のパターンにする。
【００３６】
次いで、第１電極１１０の縁の上に絶縁膜１５０を形成する。例えば感光性の材料を含有する樹脂系の材料を用いる場合、絶縁膜１５０は、露光及び現像工程を経ることにより、所定のパターンに形成される。ただし、絶縁膜１５０は、樹脂系の材料でも感光性の材料を含まない樹脂系の材料で形成されてもよい。この場合、絶縁膜１５０は、例えばインクジェット法などの塗布法を用いて形成される。絶縁膜１５０が感光性の材料を含まない場合、発光装置３２や機能領域３０の透過性の質を高めることができる。
【００３７】
次いで、有機層１２０及び第２電極１３０をこの順に形成する。有機層１２０が蒸着法で形成される層を含む場合、この層は、例えばマスクを用いるなどして所定のパターンに形成される。第２電極１３０も、例えばマスクを用いるなどして所定のパターンに形成される。その後、封止部材（図示せず）を用いて発光部１４０を封止する。
【００３８】
このようにして形成された発光装置３２は、接着層２００を用いてケーシング部２０に固定される。接着層２００はケーシング部２０と発光装置３２とを接着させるものである。このような機能を果たす材料であればとくに限定はされない。ケーシング部２０の屈折率と発光装置３２の基板１００の屈折率とが同じ場合は、（例えば両者ともにガラスで形成された場合）それと同じか近い屈折率を有する接着層２００を用いことが好ましい。他方でケーシング部２０と基板１００とで屈折率とが異なる（例えば、ケーシング部２０がプラスチックで形成され、基板１００がガラスで形成される）場合は、接着層２００の屈折率はケーシング部２０の屈折率と基板１００の屈折率との間の数値が好ましい。このようにすることで、発光装置３２の発光をケーシング部２０を介して外部へ効率よく光取り出しができるためである。
【００３９】
ここで、発光部１４０を有する発光装置３２で発生した熱をケーシング部またはケーシング部２０内部に充填される物体（具体的には水などの液体）に伝搬させたい場合と伝搬させたくない場合がある。一例として、熱をケーシング部２０内部の物体に伝搬させたい場合とは、ケーシング部２０が飼育ケースであり、特に熱帯魚等が飼育される場合など、充填される物体の温度を比較的高く保つ必要があるときである。一方、熱をケーシング部２０内部の物体に伝搬させたくない場合とは、ケーシング部２０が飼育ケースでも温度を低く保っておきたい場合や、ケーシング部２０が冷蔵ケースや冷凍ケース（例えば食品ケース）などである場合があげられる。積極的に伝搬させたい場合、基板１００の中心部分を含むような形で接着層２００を位置させる。一方で、発光装置３２の熱を伝搬させたくない場合、接着層２００は基板１００の中心部分を含まないようにする。接着層２００を周辺部分に位置させることにより発光部１４０で発生した熱が伝搬するのを防ぐことができる。つまり、接着部材を含む接着層２００は発光装置３２の一部の領域に位置することで（言い換えると接着層２００を設ける範囲を調整することで）発光装置３２からケーシング部２０へ伝搬する熱を調整することができる。その理由について、以下に説明する。
【００４０】
図６は発光装置３２の熱分布に関する図であり、具体的には温度の分布の一例を示す図である。図７は機能領域３０及び発光装置３２の構成を説明するための図である。図７において点Ｏは機能領域３０または発光装置３２または基板１００の中心の点を意味する。図６の熱分布図において、発光装置３２の基板１００はガラス基板であり、発光部１４０は縞状に形成し、発光装置３２を浮かせた状態において非接触方法で検知した。発光装置３２の中央（点Ｏ）に近づくにしたがって、温度が高くなっている。反対に中央から離れるにしたがって、温度が下がっている。ここで、発光部１４０及び透過部１６０が延伸している方向は、図面の上下方向である。つまり、縦方向に発光部１４０及び透過部１６０が延伸している構成であり、発光部１４０の位置する領域と温度が高くなる領域が異なることが看取できる。機能領域３０において、温度の分布は図６のように中心部３０ａ（３２ａ）が最も高い。中心部３０ａ（３２ａ）における温度（最高温度）は７２度である。一方、周辺部３０ｂ（３２ｂ）が最も低く、この時の温度はおおよそ２３度である。
【００４１】
ここで、中心部３０ａ（３２ａ）は、機能領域３０（発光装置３２あるいは基板１００）の中心を含み、機能領域３０（発光装置３２また基板１００）の辺を含まない領域である。また、同様に周辺部３０ｂ（３２ｂ）は機能領域３０（発光装置３２または基板１００）の領域のうち、機能領域３０（発光装置３２また基板１００）の辺を含む領域、且、発光装置３２また基板１００の中心を含まない領域である。ここで、機能領域３０の辺とは機能領域３０の最も外側の発光部１４０から隣り合う発光部１４０の間隔分外側に位置する箇所とする。
【００４２】
発光システム１０において、機能領域３０及び発光装置３２は透過部１６０を有する。発光部１４０と透過部１６０とを合わせた領域と、発光部１４０と同じ材料で形成した面光源（以下、比較例）とを比較した場合を検討する。発光装置３２と比較例との両者の発光輝度を揃えた場合に、本実施形態に係る発光装置３２の方が比較例より電流密度が上昇する。そのため、駆動電圧が上昇し、本実施形態に係る発光装置３２の方が比較例よりも温度が高くなる。このため、本実施形態に係るような発光装置３２で発生した熱を積極的にケーシング部２０に伝搬させたい場合は、同一輝度とした場合に比較例よりも多くの熱を伝えることができる。例えば、図６に示した中心部３０ａ（３２ａ）に接着層２００を設けるようにすればよい。一方、逆に積極的に伝搬させたくない場合にはその対策が必要となる。例えば、図６に示した周辺部３０ｂ（３２ｂ）にのみ接着層２００をもうけるようにすればよい。
【００４３】
また、本実施形態において、第１領域１０２、第２領域１０４、及び第３領域１０６のうち第１領域１０２は最も光線透過率が低い。また、第２領域１０４は絶縁膜１５０が存在している分、第３領域１０６に対して光線透過率が低くなっている。本実施形態では第２領域１０４の幅は第３領域１０６の幅よりも狭い。このため、発光装置３２において第２領域１０４の面積占有率は、第３領域１０６の面積占有率よりも低い。従って、発光装置３２の光線透過率は高くなる。このため、発光装置３２をケーシング部２０に設けて機能領域３０としても、人は、機能領域３０介してケーシング部２０の内側（第１空間２６）の領域を視認することができる。また、機能領域３０によりケーシング部２０の内側（第１空間２６）の領域を照らすことができる。
【００４４】
また、第２電極１３０が金属などの遮光性の材料を用いて形成されている場合、発光装置３２からの光はケーシング部２０を介してケーシング部の２０の内側（第１空間２６）に出射するが、ケーシング部２０とは逆側（第２空間２８）にはほとんど出射しない。従って、人は、発光部１４０を発光させた状態でケーシング部２０の内側の領域を容易に視認することができる。
【００４５】
また、絶縁膜１５０は透光性の材料によって形成されているが、一般的に、透光性の材料の光線透過率は光の波長によって異なる。このため、絶縁膜１５０の幅が広いと、絶縁膜１５０を光が透過する際に、その光のスペクトル分布が変わってしまう。この場合、機能領域３０または発光装置３２を介して物を見ると、その物の色が実際とは異なる色に見えてしまう。すなわち機能領域３０または発光装置３２を介することによって物の色が変化してしまう。例えば、青色の波長４００ｎｍ〜５００ｎｍの吸収率が５０％となり、他の波長の吸収率より大きい場合、機能領域３０または発光装置３２を介して物を見たときに青色が弱くなり、黄みがかって見えてしまう。これに対して本実施形態では第２領域１０４の幅は第３領域１０６の幅よりも狭いため、上記した色の変化を抑制できる。
【００４６】
（他の実施形態）
図８は、本実施形態に係る発光システム１０に関する図である。発光部１４０がケーシング部２０に直接位置している点を除いて、実施形態に係る発光システム１０と同様の構成である。ケーシング部２０を基板１００とみなし、ケーシング部２０の外側の面（第１面２４）を用いて上述の工程を行うことにより、発光部１４０は形成される。このため、本実施形態に係る発光システム１０及び発光装置３２は基板１００を有さない。
【００４７】
本実施形態のように発光部１４０をケーシング部２０に直接設けても、人は、機能領域３０を介してケーシング部２０の内側の領域を視認することができる。また、発光部１４０を用いてケーシング部２０の内側の領域を照らすことができる。また、基板１００や接着層２００を用いていないため、ケーシング部２０と機能領域３０との境界線がなくなり、発光システム１０の意匠性や水槽内部への視認性が向上する。また、発光システム１０及びケーシング部２０で損失する光量も減少するため、光取出し効率が向上する。また、発光部１４０で発生した熱を積極的にケーシング部２０へ伝搬させたい場合は、基板１００や接着層２００を有していないため、熱伝達効率は向上する。封止部についても機能領域３０だけでなくケーシング部２０の機能領域３０が位置する面の全域に封止部を設けることによって、封止部の縁が視認されにくくなるため、さらに視認性が向上する。
【００４８】
（実施例１）
図９は、実施例１に係る発光システム１０の構成を示す図であり、実施形態における図１に対応している。本実施例に係る発光システム１０は、水槽である。具体的には水３００（液体）と生物３０１がケーシング部２０に入っている。他の構成は実施形態に係る発光システム１０と同様の構成である。また、本実施例に係る発光装置３２の使用方法の一例は、実施形態に示した通りである。以下の説明では、発光部１４０は基板１００のいずれかの面に配置されることで発光装置３２をなし、発光装置３２がケーシング部２０と重なる領域を機能領域３０として記載する。
【００４９】
本実施例によっても、実施形態と同様に、発光装置３２をケーシング部２０に取り付けても、人は、発光装置３２及びケーシング部２０を介してケーシング部２０の内側の領域を視認することができる。また、発光装置３２を用いてケーシング部２０の内側の領域を照らすことができる。
【００５０】
ここで、生物３０１が熱帯魚である場合、発光装置３２が発光する際に発生した熱をより積極的にケーシング部２０あるいはそれに充填される水３００に伝搬させたい。この場合は、発光装置３２とケーシング部２０とを接着する接着層２００は少なくとも中央部３２ａに設けられていることが好ましい。発光装置３２の熱は上述の通り、中央付近に集まる性質を持っているため、中央部３２ａでケーシング部２０に固定されていること（すなわち接着層２００を介してケーシング部２０に接していること）により発光装置３２からの熱伝搬が効率的に行われるからである。仕切部材を介してケーシング部２０に接着あるいは固定する場合も、発光装置３２の中央部３２ａがケーシング部２０と接触するように固定することが必要である。
【００５１】
また、生物３０１が比較的低い水温で生息している生物の場合、発光装置３２が発光する際に発生した熱をケーシング部２０あるいはそれに充填される水３００に伝搬させたくない。この場合、発光装置３２とケーシング部２０とを接着する接着層２００は周辺部３２ｂに限定して設けられることが好ましい。さらに、中央部３２ａには空気層が設けられていて物理的な接触がないことや透光性の断熱材や吸熱剤が位置していることが好ましい。発光装置３２の熱は上述の通り、中央付近に集まる性質を持っているため、中央部３２ａではケーシング部２０に固定されておらず（すなわちケーシング部２０に接しておらず）、相対的に温度の低い発光装置３２の周辺部３２ｂではケーシング部２０に固定されていること（すなわち接着層２００を介してケーシング部２０に固定されていること）により熱伝搬を減少させることができる。仕切部材を介してケーシング部２０に接着あるいは固定する場合も、発光装置３２の中央部３２ａがケーシング部２０と接触しないようにすることが好ましい。
【００５２】
（実施例２）
図１０は、実施例２に係る発光システム１０の構成を示す図であり、実施形態における図１に対応している。本実施例に係る発光システム１０は、発光装置３２を複数有している。他の構成は実施形態に係る発光システム１０と同様の構成である。複数の発光装置３２を互いに異なる位置に備えることで、発光装置３２の発光状態にバリエーションを与えることができる。また、少なくとも２つの発光装置３２は、ケーシング部２０のある面において互いに上下に並んでいる。そのため、下方の発光装置３２を、上記した熱伝達を高くする方法で取り付けることで、温度が相対的に低くなる傾向にあるケーシング部２０の下方の水を効率的に温めることができる。逆の観点からだと、熱が滞留しがちなケーシング部２０の上部において、上記した熱伝達を低くする方法で取り付けることで、熱をなるべく伝搬させないで発光させる（必要以上にケーシング部２０の内部の温度を上昇させないようにする）ことができる。なお、図１０では複数の発光装置３２をケーシング部２０の同じ面に上下に配置したが、配置の位置はこの限りでない。具体的には複数の発光装置３２をケーシング部２０の異なる面に配置してもよいし、同一面において左右に並べて配置してもよい。
【００５３】
（実施例３）
図１１は実施例３に係る発光システム１０に係る図である。本実施例に係る発光システム１０は、制御部４００と検知部５００を備えている。制御部４００は発光部１４０の発光を制御する。より具体的には発光部１４０の発光強度や発光光度を上下することや、発光色、発光領域の調整や制御を行う。さらに、発光システム１０は検知部５００を備えていてもよい。検知部５００は、ケーシング部２０の温度、またはケーシング部２０に充填されるもの（例えば水）の温度を、接触または非接触により計測する。制御部４００は検知部５００の情報に基づき、発光部１４０の発光を制御する。具体的には、温度が所定温度以上になった場合に、機能領域３０の発光の強度を弱めたり、発光領域を調整したり、その両方を行ったりする。また、制御部４００が発光部１４０の発光をＰＷＭ方式で制御している場合、電流パルスの幅や高さを制御することにより、発光の強度を弱めてもよい。発光領域を調整とは、（１）機能領域３０（発光装置３２）の発光部１４０を選択的に発光させることで発光領域を小さくすること、（２）実施例２のように機能領域３０（発光装置３２）が複数設けられている場合において、よりケーシング部２０の内部への熱の伝搬に寄与する場所に位置する機能領域３０（発光装置３２）の発光強度を弱めたり発光領域を小さくすることである。
【００５４】
制御部４００は、様々なモードで発光部１４０の発光の制御をしてもよい。例えば、検知部５００で検知する温度（ケーシング部２０に水が充填される場合は水温）が基準の範囲内であれば、通常の制御を行う（一般モード）。検知部５００が検知した温度が基準の範囲を上回る（下回る）温度であれば、発光部１４０の発光について、発光色、発光輝度、発光周期、単位時間当たりの発光時間のうちの少なくとも一つを変化させ、利用者に警告するような発光を行う（第１発光モード）。第１発光モードでは、一般モードと比較して発光部１４０の発光輝度が大きくなるのが好ましい。さらに、発光部１４０に加える電流量を制御し、検知部５００が検知する温度が基準の範囲に戻るように、発光部１４０から伝搬する熱量を変化させるような制御を行う（第２発光モード）。例えば、温度が上昇し過ぎている場合は電流量を減少させる。また、温度が低下し過ぎている場合は電流量を上昇させる。このように、利用者にケーシング部２０の検知情報（温度情報）を報知することや、発光部１４０で発生した熱のケーシング部２０への伝搬を調整することができる。これら２つの制御モードは独立に行ってもよいし、同時に行ってもよい。基準温度はあらかじめ設定されていてもよいし、利用者が任意に設定できるようにしてもよい。
【００５５】
以上、図面を参照して実施形態及び実施例について述べたが、これらは本発明の例示であり、適宜組み合わせることができ、また、上記以外の様々な構成を採用することもできる。
【符号の説明】
【００５６】
１０  発光システム
２０  ケーシング部
２２  第２面
２４  第１面
２６  第１空間
２８  第２空間
３０  機能領域
３２  発光装置
３０ａ  中心部
３０ｂ  周辺部
１００  基板
１０２  第１領域
１０４  第２領域
１０６  第３領域
１１０  第１電極
１２０  有機層
１３０  第２電極
１４０  発光部
１５０  絶縁膜
１６０  透過部
３００  水
【図１】
2018156770.tif 000003
【図２】
2018156770.tif 000004
【図３】
2018156770.tif 000005
【図４】
2018156770.tif 000006
【図５】
2018156770.tif 000007
【図６】
2018156770.tif 000008
【図７】
2018156770.tif 000009
【図８】
2018156770.tif 000010
【図９】
2018156770.tif 000011
【図１０】
2018156770.tif 000012
【図１１】
2018156770.tif 000013